(57)【要約】      （修正有）【課題】プラスチック段ボール製の蓋について、内部に水分などが入り難く、利便性を損ねず、汚れも減少させることのできる運搬容器用のプラスチック段ボール製の蓋を提供する。【解決手段】一枚の矩形板状に形成された通い箱１のプラスチック段ボール製の蓋１０において、蓋１０の長手方向における両端部に複数個以上の平行リブ構造２０により形成される連続する中空構造２１を内部に設け、これらの中空構造２１の両端部を圧潰加工した。また、平面視における角部に、取り外しのために切り欠かれた指掛け部１２を設けた。【選択図】図１
0003158976.tif 000002
【実用新案登録請求の範囲】
【請求項１】
一枚の矩形板状に形成された運搬容器用のプラスチック段ボール製の蓋であって、
複数個以上の平行リブ構造により形成される連続する中空構造を内部に有し、該中空構造の両端部が圧潰加工されたことを特徴とする運搬容器用のプラスチック段ボール製の蓋。
【請求項２】
平面視における角部に、取り外しのために切り欠かれた指掛け部が設けられていることを特徴とする請求項１に記載の運搬容器用のプラスチック段ボール製の蓋。
【請求項３】
前記蓋が長方形状に形成されるとともに、前記圧潰加工される中空構造の両端部が、前記蓋の長手方向における両端部に設けられたことを特徴とする請求項１又は請求項２に記載の運搬容器用のプラスチック段ボール製の蓋。
【考案の詳細な説明】
【技術分野】
【０００１】
この考案は、運搬容器用に用いられるとともにプラスチック段ボール製とされる蓋に関する。
【背景技術】
【０００２】
従来、内部に収容物を収容した状態において、収容物の保護や通い箱からの脱落防止などのために運搬容器用の蓋が使用されている。運搬容器が積み重ねられて用いられるなどの事情から、強度確保のために、運搬容器自体はプラスチックなどの合成樹脂製とされたりプラスチック段ボール製とされることが多いが、運搬容器用の蓋についても、所定以上の強度を備える必要があるとともに軽量かつ取り付け・取り外しを簡便に行うことのできる利便性も備えるために、プラスチック段ボール製とされることも多い。
【０００３】
また、このような蓋には、取り付け・取り外しを簡便に行うために、運搬容器の上部開口部に載置する「乗せ蓋」と呼ばれる種類のものや、開口部内に押し込む種類のものがある。このような蓋は、外周縁が通い箱の開口部にほぼ合致する外形形状の一枚板に成形されたものとされており、宅配便などのように密閉性や収容物の秘匿性が要求される場合などには向いていないが、自社便などの通い箱用には多く用いられている（特許文献１又は非特許文献１参照）。
【先行技術文献】
【特許文献】
【０００４】
【特許文献１】特開２００１−１８０７５１号公報
【非特許文献】
【０００５】
【非特許文献１】http://www.yamakoh.com/box/container/nosefuta.html
【考案の概要】
【考案が解決しようとする課題】
【０００６】
従来の運搬容器用の蓋は、前述のような強度・軽量・取り付け取り外しの利便性などの理由からプラスチック段ボール製とされていることが多いが、段ボール製であるため内部に中芯によって区切られた多数の平行リブ構造を有している。一方、運搬容器は、蓋とともに、未使用時には屋外において保管されることも多く、このため保管時に雨にさらされるなど水分が降りかかるおそれもある。このため平行リブ構造により構成される中空構造の端部に多数開口された開口部から水分が浸入しやすく、降雨後に使用する場合などには、蓋を横向きにして中空構造内に浸入した水分を排出しなければならないなど、利便性を欠いていた。また、水分以外にもゴミや埃などの異物が入りやすく汚れの一要因となっていた。
【０００７】
本考案が解決しようとする目的は、上記の従来技術の問題点を解決するものであり、プラスチック段ボール製の蓋について、内部に水分などが入り難く、利便性を損ねなく、汚れも減少させることのできる運搬容器用のプラスチック段ボール製の蓋を提供することにある。
【課題を解決するための手段】
【０００８】
本考案の第１の手段は、
一枚の矩形板状に形成された運搬容器用のプラスチック段ボール製の蓋であって、
複数個以上の平行リブ構造により形成される連続する中空構造を内部に有し、該中空構造の両端部が圧潰加工されたことを特徴とするものである。
【０００９】
本考案では、プラスチック段ボール製の蓋の内部の中空構造について、その両端部を圧潰し加工したので、中空構造の両端部の開口部は無く閉じられており、中空構造内部に水分などが入り込むおそれはない。ここで「圧潰加工」とは潰すように開口部を圧着した状態を保持させるように加工することを指し、プラスチック製である本件においては、所定以上の温度で熱圧着させるなどして加工すればよい。
【００１０】
また、「圧潰加工」がされてこの部位においては中空構造が失われているので、屈曲性が増すことになる。よって、運搬容器の開口部よりも若干大きい大きさに形成することにより、この「圧潰加工」が施された両端部が、蓋が運搬容器に挿嵌される際に、運搬容器の開口部内に弾性的に押し込まれることになり、開口部内に押し込んで用いる蓋のタイプの場合には、両端部が運搬容器の内壁に対して圧着されるようにして用いることができるので、開口部内に対する蓋の保持を確実にすることができる。また、このように蓋が圧着されることにより、運搬容器内部の密閉性が高まる。
【００１１】
また本考案の第二の手段は、前記した運搬容器用のプラスチック段ボール製の蓋であって、平面視における角部に、取り外しのために切り欠かれた指掛け部が設けられているものである。
【００１２】
このような指掛け部を設けることにより、運搬容器開口部内に挿嵌された状態の蓋を容易に取り外すことができる。
【００１３】
また、本考案の第三の手段は、前記蓋が長方形状に形成されるとともに、前記圧潰加工される中空構造の両端部が、前記蓋の長手方向における両端部に設けられたものである。
【００１４】
このように蓋の長手方向における両端部に、圧潰加工される中空構造の開口部の両端部を設けることにより、長手方向において平行リブ構造を並設しているので、屈曲しやすい長手方向の強度を平行リブ構造によって確保しながら、圧潰加工をした両端部によって開口部内への保持を確実にすることができる。
【考案の効果】
【００１５】
本考案の運搬容器用のプラスチック段ボール製の蓋は上記の構成とされており、内部に水分や異物が入り難いので、利便性を向上させ、汚れ防止を図ることができる。また、圧潰加工された開口部の両端部により蓋の運搬容器に対する保持が確実になるので、収容物の保護が確実におこなえ、また、密閉性が高まることにより収容物の汚損のおそれを減少させることができる。
【図面の簡単な説明】
【００１６】
【図１】運搬容器に装着した状態の本考案の運搬容器用のプラスチック段ボール製の蓋の平面図である。
【図２】図１の蓋のＡ―Ａ線断面図である。
【図３】図２の要部拡大断面図である。
【図４】本考案の蓋をした状態の運搬容器の正面視縦断面図である。
【考案を実施するための形態】
【００１７】
次いで、本考案の運搬容器用のプラスチック段ボール製の蓋について、図面を参照して詳細に説明する。本考案の運搬容器用のプラスチック段ボール製の蓋１０は、図１及び図４に示されるように、内部に収容物Ｘを収容した「運搬容器」の一例である通い箱１の開口部２内に取り付けられて用いられるものである。
【００１８】
図１に示されるように、蓋１０は、平面視において縦横が約１対２の長さに設けられたほぼ長方形状に形成されている。また、その縦・横それぞれの長さは、取り付けられる通い箱１の開口部２内の縦・横のそれぞれの長さとほぼ同じく設けられている。
【００１９】
また、さらに詳細に言えば、縦方向の長さは、開口部２の縦方向の長さよりもわずかに短く設けられており、蓋１０は、縦方向においては開口部２内に容易に取り付け可能な長さに設けられている。一方、横方向の長さは、開口部２の横方向の長さよりもわずかに長く設けられており、蓋１０は、後述するように、弾性屈曲可能な端部２２，２３が開口部２の横方向間に圧入されて開口部２内に保持可能な長さに設けられている。
【００２０】
蓋１０には、図１及び図３に示されるようじ、多数の平行リブ構造２０が内蔵されている。平行リブ構造２０は蓋１０の左右横方向に向けて前後方向に多数並設されており、これらの平行リブ構造２０により、中空構造２１が構成されている。これらの平行リブ構造２０は、図示は省略するが、公知のように、横方向に向けて形成される中芯が上下方向に多数並設されたシートを上下２枚のシートで挟みこれらを熱溶着してこれらの内部に形成されるものである。これらの平行リブ構造２０により、蓋１０の所定以上の剛性・耐衝撃性が確保されている。また、断熱性や防音性においても優れている。なお、本例では、半透明状の材質にて構成されているため、平行リブ構造２０が目視可能であるが、不透明状の材質などにて構成しても良い。
【００２１】
また、蓋１０の平面視において、左上方の部位及び右下の部位には、角部を切欠いて形成された指掛け部１２が形成されている。指掛け部１２は、蓋１０の下辺に対して約４５度の角度の直線で切欠かれた形状に形成されている。この指掛け部１２を設けることにより、開口部２内に挿嵌されて固定されている状態の蓋１０を通い箱１から容易に取り外すことができる。なお、指掛け部１２は蓋１０の平面視における四隅のいずれかの部位に設ければ良い。しかしながら、多数の通い箱１を搬送する際に蓋１０毎に蓋を取り付ける向きが異なった場合にも蓋１０の左右いずれの部位においても指を掛けることができるように利便性をより確保するためには少なくとも四隅のうちの二か所以上に指掛け部１２を設けることが望ましい。一方、密閉性や収容物の秘匿性をより確保するのであれば、一箇所とすることで良い。これらの利便性と密閉性・秘匿性を両立させるのであれば、四隅のうちの対向する二か所に設けることが望ましい。
【００２２】
そして、各平行リブ構造２０の指掛け部１２を含む端部２２，２３は圧潰加工がされている。図３に示されるように、端部２２，２３に施された「圧潰加工」とは、平行リブ構造２０の中空構造２１が失われるように熱圧着などされることを指す。本例では、これらの端部２２，２３は蓋１０の左右端部から左右横方向において約１．５ｃｍの幅で、蓋１０の前後方向において形成されている。また、前述のように、指掛け部１２においても、その端部から約１．５センチの幅で形成されている。このように端部２２，２３が形成されることにより、中空構造を備えた平行リブ構造２０はその両端において密閉されるので、水分や異物が入り込むことが防止されることになる。
【００２３】
一方、蓋１０自体が、平行リブ構造２０を備えることにより、所定以上の剛性を備えていることは前述の通りであるが、圧潰加工により端部２２，２３においてはこの平行リブ構造２０が失われているので、これらの端部２２，２３は、平行リブ構造２０が備えられた部位よりも剛性が低下するものとなっている。よって、図４に示されるように、蓋１０が通い箱１の開口部２内に挿嵌される際には、これらの端部２２，２３が開口部２内の内壁３に沿って上方に弾性的に屈曲され易くなり、開口部２内への保持状態がより円滑におこなえるようになる。特に、開口部２内の内壁３は、下方に向かうに従って、対向する内壁３間の距離がわずかに短くなるようにテーパが形成されていることが多いので、このような端部２２，２３とすることにより、開口部２内に所定量だけ蓋１０を押し込むことにより、一定以上の保持状態を容易に確保することできるので、開口部２内にしっかりと取り付ける必要がある場合の蓋１０を取り付ける際の利便性を著しく向上させることができる。
【００２４】
本考案は前述の例に限られず、本考案の趣旨の範囲内で適宜の変更が可能である。例えば前述の蓋１０の例では、平面視において横長の長方形状のものを例示したがこれに限られず、取り付けられる通い箱１の開口部２の平面視形状に合致する平面視形状にすれば良い。さらには、開口部２の平面視形状に合致しなくても収容物の目隠しとしては一定の機能を奏するが、望ましくは開口部２に合致するような形状として、開口部２内に挿嵌する平面視形状とすることが良い。又、平行リブ構造２０の例示に限られず、他の数の平行リブ構造としても良い。端部２２，２３の幅については前述の例では約１．５ｃｍとしたが、他の幅としても良い。
【産業上の利用可能性】
【００２５】
本考案は、運搬容器用のプラスチック段ボール製の蓋として広く用いることができ、特に通い箱用のプラスチック段ボール製の蓋に用いることができる。
【符号の説明】
【００２６】
１；通い箱、２；開口部、１０；蓋、１２；指掛け部、２０；平行リブ構造、２１；中空構造、２２，２３；端部、Ｘ；収容物。
【図１】
0003158976.tif 000003
【図２】
0003158976.tif 000004
【図３】
0003158976.tif 000005
【図４】
0003158976.tif 000006